(57)【要約】【課題】卓上に設置可能な程度にコンパクト、シンプル、軽量、且つ低廉な構成でありながら、ＦＤ等の記録媒体カセットを一回のハンドル操作によって各構成要素に分解することができる記録媒体カセットの解体装置を提供する。【解決手段】記録媒体カセットの片面を支持するセット面２ａを備えたベース２と、該セット面上にセットされた記録媒体カセットの他面に対して昇降することにより固着部を破断（切除、破壊）する破断部材５と、該破断部材を昇降させる昇降機構１０と、を備えた。【選択図】図３
2008090961.tif 000002
【特許請求の範囲】
【請求項１】
金属製ハブ及び該金属製ハブを中心部に固定した磁気ディスクを備えた円盤状記録媒体と、該円盤状記録媒体を回転自在な状態で包囲する表ケース片及び裏ケース片、並びに前記表ケース片と裏ケース片の所要部を固着する固着部からなる樹脂製保護ケースと、を備えた記録媒体カセット、を解体する解体装置であって、
前記記録媒体カセットの片面を支持するセット面を備えたベースと、該セット面上にセットされた前記記録媒体カセットの他面に対して昇降することにより前記固着部を破断する破断部材と、該破断部材を昇降させる昇降機構と、を備えたことを特徴とする記録媒体カセットの解体装置。
【請求項２】
前記記録媒体カセットは、フロッピー（登録商標）ディスクカセットであることを特徴とする請求項１に記載の記録媒体カセットの解体装置。
【請求項３】
前記昇降機構は、前記樹脂製保護ケースの他の部位を裁断、穿孔するための刃物部材を備え、この刃物部材を前記破断部材と共に昇降させることを特徴とする請求項１又は２に記載の記録媒体カセットの解体装置。
【請求項４】
前記昇降機構は、前記樹脂製保護ケース裏面中央部に露出配置された前記金属製ハブ外周を打ち抜き除去する刃物部材を昇降させることを特徴とする請求項１、２又は３に記載の記録媒体カセットの解体装置。
【請求項５】
請求項１に記載の破断部材と、請求項２、３又は４に記載の刃物部材は、前記昇降機構に対して着脱自在に構成されていることを特徴とする記録媒体カセットの解体装置。
【請求項６】
前記ベースのセット面には、前記記録媒体カセットを着脱固定するためのガイド部材が配置されていることを特徴とする請求項１乃至５の何れか一項に記載の記録媒体カセットの解体装置。
【請求項７】
前記ガイド部材は、一枚以上複数枚の記録媒体カセットを重ねた状態で位置決めできるように前記ベース面に対する高さ位置を可変に構成されていることを特徴とする請求項６に記載の記録媒体カセットの解体装置。
【請求項８】
前記昇降機構は、前記破断部材を昇降自在に支持する昇降ガイド部材と、前記破断部材に設けたギヤ部と噛合するギヤ部を有するギヤと、該ギヤを回転自在に軸支さうる回動軸部材と、該回動軸部材に一端を固定されたハンドルと、を備えていることを特徴とする請求項１乃至７の何れか一項に記載の記録媒体カセットの解体装置。
【請求項９】
隣接する２本の前記破断部材間に、互いのギヤ部で噛合する２つの前記ギヤを配置し、前記ハンドル操作により一方のギヤを回動させたときに他方のギヤにその回動力が伝達されて各破断部材を昇降動作させるように構成したことを特徴とする請求項８に記載の記録媒体カセットの解体装置。
【請求項１０】
前記ハンドルを初期位置に復帰させる弾性部材を備えたことを特徴とする請求項８又は９に記載の記録媒体カセットの解体装置。
【請求項１１】
前記弾性部材は、前記破断部材を上昇付勢する弾性部材により兼用されていることを特徴とする請求項１０に記載の記録媒体カセットの解体装置。
【請求項１２】
前記破断部材に付着した切断屑を除去する切断屑押出機構を備えたことを特徴とする請求項１乃至１１の何れか一項に記載の記録媒体カセットの解体装置。
【発明の詳細な説明】
【技術分野】
【０００１】
本発明はフロッピー（登録商標）ディスクカセット、その他の記録媒体カセットを解体した後、材質別に分別して廃棄できるようにした記録媒体カセットの解体装置に関する。
【背景技術】
【０００２】
フロッピー（登録商標）ディスクカセット（以下、ＦＤという）のように比較的記憶容量が小さい円盤状記録媒体を樹脂製保護ケース内に収容した記録媒体カセットは、ＭＯ、ＣＤ−ＲＯＭ、ＤＶＤ等の大容量の記憶媒体の普及により徐々に使用されなくなってきており、役所、企業等においては使用しなくなった大量のＦＤの処理に困っているのが実情である。特に、記録媒体に記録されたデータを消去せずに廃棄した場合には情報漏洩の問題が発生する一方、全てのＦＤの記録データを消去してから廃棄するとすれば膨大な手数、労力をかける必要がある。特に、記録媒体部分と、樹脂材料部分と、金属材料部分とを分離、分別して廃棄するとなると、作業性が更に悪化することは明かである。
【０００３】
現状では、ドライバー、ナイフ等を用いてＦＤを構成するプラスチック製の保護ケースを分解してから、円盤状記録媒体を取り出して磁性体が塗布されたフレキシブルな磁気ディスクと、その中心部に固定された金属製ハブとに分離し、更に磁気ディスクを鋏などによって切断する作業を手作業により実施している。しかし、この解体作業には多大な労力を要し、ドライバー等の先の尖った工具によって怪我をすることも少なくない。特に、ＦＤの保護ケースは表ケース片と裏ケース片により円盤状記録媒体をサンドイッチ状に包囲した状態で、表ケース片と裏ケース片の四隅を圧着等によって固着しているため、工具先端を表ケース片と裏ケース片との間の隙間に差し込んでから無理に剥離させる必要があり、この作業は容易ではなかった。特に、ドライバー等を用いた剥離作業では四隅の固着部を効果的に破壊できないことが多いため、表ケース片や裏ケース片が部分的に固着された状態となって内部の円盤状記録媒体を取り出す作業が更に繁雑化することが多々あった。
【０００４】
特許文献１には、廃フロッピー（登録商標）ディスクを高温で加熱燃焼するための構成を備えた産業廃棄物の処理装置が開示されているが、構成が大型、複雑化し、高コスト化することが明かである。また、事前に磁気ディスク上の記録情報を消去したり、磁気ディスクを取り出して裁断する等の情報保護措置を講じるとなると、廃棄手数が更に増大することとなる。
【特許文献１】特開平８−１３５９４３号公報
【発明の開示】
【発明が解決しようとする課題】
【０００５】
以上のように従来記録媒体カセットを解体、分別して廃棄するためには、ドライバー等の工具を用いた手作業による効率の悪い保護ケース剥離作業を行うか、或いは大型の処理装置によって燃焼させて廃棄するしか方法がなかった。
本発明は上記に鑑みてなされたものであり、卓上に設置可能な程度にコンパクト、シンプル、軽量、且つ低廉な構成でありながら、ＦＤ等の記録媒体カセットを一回のハンドル操作によって各構成要素に分解することができる記録媒体カセットの解体装置を提供することを目的としている。
【課題を解決するための手段】
【０００６】
上記課題を解決するため、請求項１の発明は、金属製ハブ及び該金属製ハブを中心部に固定した磁気ディスクを備えた円盤状記録媒体と、該円盤状記録媒体を回転自在な状態で包囲する表ケース片及び裏ケース片、並びに前記表ケース片と裏ケース片の所要部を固着する固着部からなる樹脂製保護ケースと、を備えた記録媒体カセット、を解体する解体装置であって、前記記録媒体カセットの片面を支持するセット面を備えたベースと、該セット面上にセットされた前記記録媒体カセットの他面に対して昇降することにより前記固着部を破断（切除、破壊）する破断部材と、該破断部材を昇降させる昇降機構と、を備えたことを特徴とする。
昇降機構を操作することにより破断部材が所定位置にセットされた記録媒体カセットの面上に下降して固着部を破断するため、ワンアクションの操作によって保護ケースを表ケース片と裏ケース片に分解することができる。
【０００７】
請求項２の発明は、請求項１において、前記記録媒体カセットは、フロッピー（登録商標）ディスクカセットであることを特徴とする。
本発明の解体装置によって解体可能な記録媒体カセットとしては、円盤状記録媒体を樹脂製の保護ケースにより包囲した構成を有するものであればどのようなものであってもよいが、現状において多量に廃棄されるフロッピー（登録商標）ディスクカセットに適用することにより極めて有用となる。
請求項３の発明は、請求項１又は２において、前記昇降機構は、前記樹脂製保護ケースの他の部位を裁断、穿孔するための刃物部材を備え、この刃物部材を前記破断部材と共に昇降させることを特徴とする。
昇降機構による一回の切断動作に際して、他の刃物部材を用いて保護ケースの他の部位を裁断、穿孔するように構成することにより、内部の磁気ディスクの記録情報を同時に破壊して再生不能な状態にすることができる。
【０００８】
請求項４の発明は、請求項１、２又は３において、前記昇降機構は、前記樹脂製保護ケース裏面中央部に露出配置された前記金属製ハブ外周を打ち抜き除去する刃物部材を昇降させることを特徴とする。
昇降機構による一回の操作により、金属製ハブと磁気ディスクとを分離することができれば、後の分別作業が容易となる。
請求項５の発明は、請求項１に記載の破断部材と、請求項２、３又は４に記載の刃物部材は、前記昇降機構に対して着脱自在に構成されていることを特徴とする。
破断部材、刃物部材を着脱交換可能に構成することにより、損耗により切れ味の低下した破断部材や刃物部材を新たなものと交換できる。或いは、異なったタイプの破断部材や刃物部材と交換することにより、異なった切断線、破断形状、穿孔状態を実現できる。
【０００９】
請求項６の発明は、請求項１乃至５の何れか一項において、前記ベースのセット面には、前記記録媒体カセットを着脱固定するためのガイド部材が配置されていることを特徴とする。
ガイド部材を設けて記録媒体カセットを抑えておくことにより、切断中の位置ずれ等による切断不良を防止できる。
請求項７の発明は、請求項６において、前記ガイド部材は、一枚以上複数枚の記録媒体カセットを重ねた状態で位置決めできるように前記ベース面に対する高さ位置を可変に構成されていることを特徴とする。
ガイド部材をベース面上に上下動自在に支持することにより、セットされるカセットの枚数の変更、厚みの変更に対応することが可能となる。
【００１０】
請求項８の発明は、請求項１乃至７の何れか一項において、前記昇降機構は、前記破断部材を昇降自在に支持する昇降ガイド部材と、前記破断部材に設けたギヤ部と噛合するギヤ部を有するギヤと、該ギヤを回転自在に軸支さうる回動軸部材と、該回動軸部材に一端を固定されたハンドルと、を備えていることを特徴とする。
構成部品数が少なく、各部品を小型化できるので、装置全体構成のシンプル化、小型化、低コスト化を実現できる。
請求項９の発明は、請求項８において、隣接する２本の前記破断部材間に、互いのギヤ部で噛合する２つの前記ギヤを配置し、前記ハンドル操作により一方のギヤを回動させたときに他方のギヤにその回動力が伝達されて各破断部材を昇降動作させるように構成したことを特徴とする。
【００１１】
請求項１０の発明は、請求項８又は９において、前記ハンドルを初期位置に復帰させる弾性部材を備えたことを特徴とする。
ハンドルを切断方向へ回動させた後で手を離すことにより原位置に復帰するので操作性が向上する。
請求項１１の発明は、請求項１０において、前記弾性部材は、前記破断部材を上昇付勢する弾性部材により兼用されていることを特徴とする。
構成のシンプル化に貢献することができる。
請求項１２の発明は、請求項１乃至１１において、前記破断部材に付着した切断屑を除去する切断屑押出機構を備えたことを特徴とする。
破断部材の切断刃内に入り込んで除去できなくなる虞がある切断屑を刃先側に、或いは破断部材の上端側から排出することができ、切断作業を連続して実施することが可能となる。
【発明の効果】
【００１２】
本発明では、記録媒体カセットの片面を支持するセット面を備えたベースと、該セット面上にセットされた記録媒体カセットの他面に対して昇降することにより固着部を破断（切除、破壊）する破断部材と、該破断部材を昇降させる昇降機構と、を備えたので、卓上に設置可能な程度にコンパクト、シンプル、軽量、且つ低廉な構成でありながら、ＦＤ等の記録媒体カセットを一回のハンドル操作によって各構成要素に分解することができる記録媒体カセットの解体装置を提供することができる。
【発明を実施するための最良の形態】
【００１３】
以下、本発明を図面に示した実施の形態により詳細に説明する。
図１（ａ）（ｂ）及び（ｃ）は本発明の一実施形態に係る記録媒体カセットの解体装置の外観斜視図、側部構成図、及び解体されたフロッピー（登録商標）ディスクカセット（以下、ＦＤ、という）の分解斜視図であり、図２（ａ）は図１のＡ−Ａ断面図であり、（ｂ）及び（ｃ）は記録媒体カセットの一例としてのＦＤの表面図、及び端面図であり、図３（ａ）及び（ｂ）は図２のＢ−Ｂ断面図、及びＣ−Ｃ断面図である。
【００１４】
ＦＤ３０は、円盤状記録媒体３１を樹脂製保護ケース４１内に回転自在に収容した構成を有している。
円盤状記録媒体３１は、フレキシブルな材質から成る円盤面に磁性体を塗布した磁気ディスク３２と、磁気ディスク３２の中心部に固定された金属製ハブ３５と、を備える。
樹脂保護ケース４１は、表ケース片４２と裏ケース片４３とを接合した中空構成を備え、表ケース片４２と裏ケース片４３の四隅の固着部４４を圧着等により固定されている。また、樹脂保護ケース４１の一端縁には内部の磁気ディスク３２の一部を露出させるための切欠き部があり、この切欠き部を開閉するための金属製のシャッター４５が矢印方向へ進退自在に支持されている。
また、磁気ディスクの金属製ハブ３５は、裏ケース片４３の中心部に設けた円形の開口４３ａから露出した状態でこの開口によって回転自在に支持されている。
【００１５】
次に、本発明の記録媒体カセットの解体装置（以下、解体装置、という）１は、ＦＤ３０の片面（下面）を支持するセット面２ａを備えたベース２と、セット面２ａ上にセットされたＦＤ３０の他面（上面）に対して昇降することにより全ての固着部４４を同時に破断（切除、破壊）する破断部材５と、破断部材を昇降自在に支持する昇降機構１０と、昇降機構１０を作動させるハンドル２０と、を概略備えている。尚、ハンドル２０は昇降機構１０を構成している。
【００１６】
ベース２上には解体対象物としてのＦＤ３０の下面をセットするセット面２ａがあり、セット面２ａ上には図２（ａ）の手前側からＦＤをセットする際のガイドとなるガイド部材３が配置されている。各ガイド部材３は、ＦＤのセット時にＦＤの対向する２つの端縁をガイドするサイドガイド部材３ａと、セット完了時にＦＤがセット面の奥方向へ変位することがないように位置決めガイドする奥ガイド部材３ｂと、を備えている。更に、各ガイド部材３ａ、３ｂは、セット位置に一旦位置決めされたＦＤ３０が上方向へ変位、離脱することがないようにその上部を内側へ屈曲させており、この屈曲部によりＦＤの上面を保持する。
【００１７】
また、図２（ｄ）の他の形態例に係るガイド部材の構成図に示すように、各ガイド部材３ａ、３ｂをベース２上に固定せず、全てのガイド部材３ａ、３ｂをベース２に設けたスリット２ｃ内に一体的に上下動自在に支持すると共に弾性部材３ｃによって下向きに付勢するように構成することにより、ＦＤの厚みのバラツキに対応して確実に上方から押さえ込むことができる。また、各ガイド部材３ａ、３ｂの上下動範囲を広く設定することにより、複数枚のＦＤを重ねた状態でセット面上にセットすることも可能となる。この場合、例えば各ガイド部材３ａ、３ｂは、連結片３ｄにより一体的に上下動するように構成し、連結片３ｄの一部をつまみ状に突出させると共に、つまみ３ｄ’の先端をベース２の側面に設けた穴２ｄから突出させて、指によりつまみ３ｄ’を上方へ付勢してガイド部材３全体を弾性部材３ｃに抗して上昇させ得るように構成する（図１（ａ）参照）。このように複数枚のＦＤを重ねた状態でガイド部材により抑えることにより、破断部材５の一回の下降動作により複数枚のＦＤの固着部を一括して破断させることができる。
【００１８】
次に、ベースのセット面２ａと直交した移動経路にて上下動する破断部材５の下端面には凹所５ａが形成され、凹所５ａの外周は切断刃５ｂとなっている。更に、破断部材５の円形の切断刃５ｂと対応するベースのセット面２ａには切断刃５ｂを受け入れる環状の穴２ｂが貫通形成されている。穴２ｂ内に入り込んだ保護ケースの切り屑は下方へ落下するように構成されている。或いは、環状穴２ｂに代えて、円形の貫通孔を形成することにより打ち抜かれた固着部４４を下方へ落下させるようにしてもよい。
この例では、先端に切断刃５ｂを有した棒状の破断部材５はＦＤ３０の四隅に配置された固着部４４に対応して４本配置されており、昇降機構１０による一回の昇降動作により各固着部４４を完全に打ち抜き除去できるように切断刃５ｂのサイズが設定されている。
切断刃５ｂの径や形状を多少大きめに設定しておけば、メーカーが異なるＦＤ間の固着位置のずれ等に対応して打ち抜くことができる。
４個の破断部材５のうちの片側の２個の破断部材５Ａ、５Ａ同士は連結部材６により一体化され、他方の２個の破断部材５Ｂ、５Ｂ同士も同様に連結部材６により一体化されている。
【００１９】
昇降機構１０は、ベース２の上面適所に立設された側板、支柱等から成る側方部材１１と、各側方部材１１の上部間に差し渡された天板１２と、側方部材１１や天板１２に設けられて各破断部材５を昇降自在に支持する昇降ガイド部材１３と、左右の各側方部材１１ａ、１１ｂに設けた軸受部によって前後端部を夫々回転自在に軸支された２本の回動軸部材１５、１６と、各回動軸部材１５、１６の両端部位置に夫々軸心を固定されたギヤ１５ａ、１５ｂ、１６ａ、１６ｂと、を有する。更に一方の回動軸部材１５の長手方向中央部にはハンドル２０の一端が固定されている。ハンドル２０は側方部材１１（及びカバー１２ａ）の前面に設けたスリット１１ａ内から突出しており、スリット１１ａに沿って上下動するように構成されている。
側方部材１１と天板からなる上カバーは、ベース２に対して着脱自在に構成してもよいし、側方部材１１の適所に開放部を図示の例よりも多く設けてＦＤの着脱操作を実施し易くしても良い。
側方部材１１は前方側にＦＤ挿入口１１ｂを有しており、ＦＤ挿入口１１ｂ側からセット面２ａとガイド部材３との間にＦＤを挿着することとなる。なお、ＦＤ挿入口１１ｂはハンドルを設けた前面側以外の側面に設けても良い。
【００２０】
破断部材５はその上部に設けたフランジ部と天板１２との間に配置された弾性部材（復帰バネ）１７により常時上昇方向へ付勢されている。ハンドル２０を押し下げる際には弾性部材１７に抗して破断部材５が下降する一方で、ハンドル２０を押し下げる力を解除した際には弾性部材１７の復帰力によってハンドル２０が初期位置に上昇するように弾性部材１７の力を設定してもよいが、弾性部材１７の復帰力（弾発力）をハンドルを初期位置に復帰させる程度に強く設定することにより、逆にハンドル２０を押し下げ操作する際の強い抵抗となる虞がある場合には弾性部材１７の復帰力を比較的弱くして人手によりハンドルを上昇させる際の補助力となるように設定してもよい。
破断部材５の上端部、及び弾性部材１７を天板１２の上面側に突出させておくことにより作業者が指を怪我する虞を回避するために、天板１２の上側に保護用のカバー１２ａを固定的に、或いは着脱自在に取り付けることにより破断部材５及び弾性部材１７を隠蔽するようにしてもよい。
【００２１】
次に、破断部材５は全長に亘って略円柱状である必要はなく、例えば昇降ガイド部材１３のガイド穴内を摺動する部分は非円形状に構成することにより回転止めとすることができる。
ハンドル２０は実線で示した初期位置から破線で示した押下位置までの間を回動軸部材１５を中心として回動自在に構成されている。また、弾性部材１７に代えて、或いは弾性部材１７と併用して図示しない他の弾性部材（復帰用コイルバネ）を回動軸部材１５、或いは１６に設けることによりハンドル２０を、実線で示した初期位置に復帰するように弾性付勢してもよい。なお、回動軸部材１５、又は１６に復帰用の弾性部材を設ける方が装置全体の構成をコンパクト化、シンプル化するのに有利である。
【００２２】
各回動軸部材１５、１６は互いに平行に配置されており、回動軸部材１５に固定したギヤ１５ａ、１５ｂと回動軸部材１６に固定したギヤ１６ａ、１６ｂとは常時噛合しているため、ハンドル２０を押下方向へ操作することにより各ギヤ１５ａ、１５ｂからの駆動力は各ギヤ１６ａ、１６ｂに伝達されてこれらを回動させる。ハンドル２０が弾性部材の付勢力により戻し方向へ復帰する際にも同様に両ギヤ群１５ａ、１５ｂと１６ａ、１６ｂは連動して回動する。
ギヤ１５ａ、１５ａのギヤ部は対応する位置関係にある破断部材５Ａ、５Ａに設けたギヤ部と常時噛合し、ギヤ１６ａ、１６ａのギヤ部は対応する位置関係にある他の破断部材５Ｂ、５Ｂと常時噛合している。このため、ハンドル２０が実線で示した初期位置にあるときには各破断部材５Ａ、５Ｂは実線で示した上昇位置にある一方で、ハンドル２０を破線で示した押下位置に回動させる過程で各ギヤ１５ａ、１５ｂ、１６ａ、１６ｂは矢印方向へ所定角度回動し、これと噛合する各破断部材５Ａ、５Ｂは下降してその先端の切断刃５ｂにより保護ケース４１の四隅に位置する固着部４４を打ち抜きして離脱させる。
【００２３】
ハンドル２０に対する押下力を解除すると図示しない弾性部材による復帰力によってハンドル２０は初期位置に復帰するので、各破断部材も上昇位置に復帰する。
なお、ハンドル２０を初期位置に弾性付勢する弾性部材は各破断部材５Ａ、５Ａ、５Ｂ、５Ｂを上昇位置に復帰するために配置したバネ１７であってもよいし、何れかの回動軸部材１５、１６を回動復帰させるバネ１７であってもよい。
更に、各連結部材６には、樹脂製保護ケース４１の他の部位を裁断するための刃物部材５０を取り付けることにより、各破断部材５ａ、５ｂの昇降動作と連動して昇降し、刃物部材５０先端の刃先によって樹脂製保護ケース４１に対して裁断処理を施すように構成してもよい。この例に係る刃物部材５０は、切刃方向に長い刃を備えているため、樹脂製保護ケース４１の樹脂部分、及び内部の磁気ディスクを線状に切り込み形成（切断）することができる（図２（ｂ）中の切断線Ｌ１）。磁気ディスクに切り込みを形成することにより記録情報の読み出しが不可能となるような切断状態となるように配慮する。
【００２４】
連結部材６に対して刃物部材５０を着脱自在に構成して任意の切断形状を得ることができる好みの刃物部材５０を取り付けるようにしてもよい。例えば、刃物部材５０として先端が尖った複数の釘状部材を用いて保護ケース４１と共にその内部の磁気ディスク３２に対して複数箇所穿孔することにより磁気ディスク上の記録情報の読み出しを不可能となるようにしてもよい。
更に、２つの連結部材６の長手方向中央部間に差し渡す他の連結部材６ａによって破断部材５と同様に下端面に環状の刃先を有した打ち抜き部材（刃物部材）を支持することにより、破断部材５の昇降動作と連動して昇降可能とし、保護ケース４１の下面中央側に設けた開口内の金属製ハブ３５の外周を打ち抜くようにしてもよい。この打ち抜き部材は他の連結部材６ａに対して固定してもよいし、着脱自在に構成してもよい。
また、刃物部材５０が下降した時にその刃先を受け入れる凹所、スリット等をセット面２ａに形成しておいてもよい。
【００２５】
なお、図２（ｄ）の実施形態では、断面形状がＬ字状のガイド部材３をベース２によって上下動自在に支持することにより複数枚のＦＤを積層した状態でセット面２ａにセットして各ガイド部材５により押さえ込み、この状態でハンドル２０を操作して破断部材５や刃物部材５０を下降させることによって複数枚のＦＤの適所を一括して破断、切断することを可能とした例を示したが、複数のＦＤを横方向に並置可能な程度に広い面積を有したベース上面に複数のセット面２ａを隣接配置すると共に、各セット面上にセットされた各ＦＤに夫々対向するように破断部材５（刃物部材５０）を含んだ昇降機構１０を配置し、ハンドル２０の下降操作によって各セット面上の各ＦＤが一括して破断処理されるように構成してもよい。
【００２６】
図１（ｃ）に示すように、破断部材５によってＦＤの各固着部４４を打ち抜き除去することにより、表ケース片４２と裏ケース片４３との結合は解除されているので、人手により容易に分離可能な状態となる。保護ケース表面にシール４６が接着されている場合にも表ケース片と裏ケース片との分離は人手により容易である。
保護ケース４１を開放すると内部の円盤状記録媒体３１を取り出すことができるが、昇降機構１０を構成する連結部材６ａ、その他の適所に金属製ハブ除去用の刃物部材を取り付けることにより、磁気ディスク３２と金属製ハブ３５とは既に分離された状態にあるので分別が容易である。また、保護ケース４１に取り付けられた金属製シャッター４５もこの時点で取り外せばよい。なお、磁気ディスク３２と金属製ハブ３５との結合力は本来強くないので、金属製ハブを本発明装置により打ち抜くことなく、解体時に手作業により分離するようにしてもよい。
【００２７】
また、磁気ディスク３２には刃物部材５０によって穿孔、切り込み等が行われているので、読取りは不可能な状態となっており、記録情報が漏洩する虞はなくなる。具体的には、刃物部材５０により磁気ディスク３２上の全ての記録トラックが寸断されるように切断するようにすれば、記録情報の再生は不可能となる。
なお、図３（ａ）（ｂ）に示すようにベース２の内部に、穴２ｂと連通する空所６０を設けるとともに、この空所６０内に前方から着脱可能な引出し状の切り屑受け６１を配置することにより、破断部材や刃物部材による切断により落下してきた切断屑を受けるようにしてもよい。
【００２８】
次に、ＦＤを解体する作業中における解体装置１の設置安定性を高めるために、例えば図１（ａ）に示すような引出し式の補助スタンド７０を設けても良い。この例に係る補助スタンド７０はベース２の前面に２箇所設けたガイド穴７１によって前後方向（内外方向）へ夫々スライド自在に支持された棒材７２と、各棒材７２の先端部に差し渡し固定された先端部材７３とから構成されており、非使用時にはガイド穴７１内に収納する一方で、作業台上に設置して使用する際には補助スタンド７０を引き出して設置安定性を確保した上で作用を実施することができる。
【００２９】
なお、補助スタンド７０の設置部位、棒材７２及び先端部材７３の形状、サイズ等は任意に選定可能である。
或いは図３（ａ）中に示すような着脱式の固定支持金具８０を用いて側方部材１１の適所（この例では背面下部）を作業台８５上に固定するようにしてもよい。即ち、固定支持金具８０は、略コ字状の金具本体８１と、金具本体８１の下部に設けたネジ穴内にねじ込み可能なネジ棒を有したねじ込み部材８２と、を有し、金具本体８１の上部に設けた差込み片８１ａを側方部材１１に設けた差込み穴内に差し込むと共に、ねじ込み部材８２の上端部を作業台８５の下面に当接させた状態でねじ込み部材８２をねじ込むことにより解体装置１を作業台上に固定することができる。
【００３０】
次に、図４（ａ）及び（ｂ）は本発明の解体装置の他の形態例を示す横断面図、及び切断されたＦＤの説明図である。
この実施形態に係る解体装置１は、各連結部材６の端部によって支持する破断部材５（５Ａ、５Ｂ）として切断刃を用いた構成が特徴的である。即ち、切断刃としての各破断部材５をＦＤ３０の四隅に対応する位置に夫々配置して昇降させることにより、（ｂ）に示すようにＦＤ３０の四隅を斜め直線状に切断して固着部４４を除去し得るようにしている。この実施形態によれば、ＦＤの四隅部を比較的広い範囲に亘って切除できるので、固着部４４がＦＤの四隅のどの部分にあっても確実にこれを除去することが可能となり、保護ケースを容易に分離することが可能となる。従ってメーカーが異なるＦＤ間の固着位置の違い等に対応して切断することができる。
【００３１】
次に、図５（ａ）乃至（ｄ）は本発明の解体装置の変形例の要部構成と動作を示す断面図である。この実施形態に係る解体装置１は、破断部材５に切断後の固着部（切断屑）４４を押出し除去する切断屑押出機構を設けた構成が特徴的である。即ち、この破断部材５は軸方向に貫通する孔９０を有し、この孔９０内には押出ピン９１が上下動自在に挿通されている。更に押出ピン９１の上端に設けた鍔部９１ａと破断部材５の上端部との間には弾性部材９２を配置して押出ピン９１を上方に付勢している。
図５（ａ）に示した押出ピン９１は非押し下げ時にはその先端部が凹所５ａから上方に退避しているため、切断刃５ｂによる打ち抜き動作に干渉することがないが、（ｂ）（ｃ）のように切断後の固着部４４が凹所５ａ内に入り込んだ場合には、（ｄ）に示すように手作業によって押出ピン９１の上端部を弾性部材９２に抗して押し下げることによって押出ピン先端部を下方へ突出させて固着部４４を凹所５ａ内から下方へ落下させることができる。
このように切断屑押出機構を設けることにより、破断部材の切断刃内に付着し易い切断屑をその都度除去して次の切断作業にスムーズに移行することが可能となる。
【００３２】
次に、図６（ａ）（ｂ）及び（ｃ）は図５の実施形態に係る切断屑押出機構の変形例の構成及び動作を示す断面図であり、図５と同一部分には同一符号を付して説明する。この解体装置１は天板１２の上方に配置したカバー１２ａの下面に押出ピン９１の上端部を当接し続けることによって（ａ）に示した破断部材の上昇時には押出ピン先端部が凹所５ａ内に突出した状態を維持する一方で、（ｂ）に示した破断部材の加工時（切断時）には押出ピン先端部が凹所５ａから上方に相対的に退避するように構成されている。即ち、押出ピン９１は弾性部材９２によって破断部材５の上端面から上方へ常時付勢されているため、天板１２の上面よりも所定高さ位置にあるカバー１２ａの下面に押出ピン９１の上端部は常時圧接した状態にある。ハンドル２０が上昇位置にあるために破断部材５が（ａ）に示した上昇位置にある際には押出ピンの先端部は切断刃５ｂと同等の位置か、切断刃よりも下方へ突出している。一方、（ｂ）のようにハンドル２０を下降させることにより破断部材５が下降してＦＤの固着部（切断屑）４４を打ち抜いた際には、押出ピン９１の先端部は固着部４４と干渉しないように上方に退避した状態を維持し続ける。切断が終了して破断部材５が（ｃ）のように上昇すると、凹所５ａ内に入り込んだ固着部４４は押出ピン先端部と当接するため、それ以降は押出ピン先端部により相対的に押し出されて落下する。
このように切断屑押出機構を設けることにより、破断部材の切断刃内に付着し易い切断屑をその都度人手を煩わすことなく除去して次の切断作業にスムーズに移行することが可能となる。
【００３３】
次に図７は本発明の解体装置の変形例の要部構成（切断屑押出機構）を示す断面図である。この実施形態に係る解体装置１は、破断部材５の構成に特徴を有している。即ち、この破断部材５は中空筒状体であり、軸方向全長に亘って中空部（切断屑収容部）９５が貫通形成されている。中空部９５の径寸法、及び形状は打ち抜いた後の固着部（切断屑）４４を収容し得るように設定されている。ＦＤ３０の固着部４４を破断部材５の切断刃５ｂにより打ち抜いた場合、打ち抜かれた固着部４４は順次中空部９５内に積層した状態で収容されて行くように構成されている。即ち、新たな打ち抜き作業によって打ち抜かれた固着部４４は先行して中空部９５内に収容された固着部４４を押上げながら中空部内に収容されてゆくように構成されている。中空部９５内に固着部４４を収容しきれなくなった場合には破断部材５の上端開口部から天板１２の上面に落下してゆくことにより後続の固着部４４を下端開口から中空部内に新たに収容することが可能となる。従って、天板１２の上面を固着部溜めとして利用することが可能となる。
このように切断屑押出機構を設けることにより、破断部材の切断刃内に付着し易い切断屑をその都度人手を煩わすことなく破断部材内の中空部９５内に順次収容することができ、次の切断作業にスムーズに移行することが可能となる。
【００３４】
本発明の解体装置はＦＤ以外のあらゆるタイプのカセットにも適用することができ、その場合にはサイズ、形状、厚みの違いに応じてガイド部材、昇降機構の構成を変更させる必要があることは言うまでもない。
【図面の簡単な説明】
【００３５】
【図１】（ａ）（ｂ）及び（ｃ）は本発明の一実施形態に係る記録媒体カセットの解体装置の外観斜視図、側部構成図、及び解体されたフロッピー（登録商標）ディスクカセットの分解斜視図である。
【図２】（ａ）は図１のＡ−Ａ断面図、（ｂ）及び（ｃ）は記録媒体カセットの一例としてのＦＤの表面図及び端面図、（ｄ）はガイド部材を昇降させる構成例を示す断面図である。
【図３】（ａ）及び（ｂ）は図２のＢ−Ｂ断面図及びＣ−Ｃ断面図である。
【図４】（ａ）及び（ｂ）は本発明の解体装置の他の形態例を示す横断面図及び切断されたＦＤの説明図である。
【図５】（ａ）乃至（ｄ）は本発明の解体装置の変形例の要部構成と動作を示す断面図である。
【図６】（ａ）（ｂ）及び（ｃ）は図５の実施形態に係る押出機構の変形例の構成及び動作を示す断面図である。
【図７】本発明の解体装置の変形例の要部構成を示す断面図である。
【符号の説明】
【００３６】
１…解体装置、２…ベース、２ａ…セット面、２ｂ…穴、２ｃ…スリット、３…ガイド部材、３ａ…サイドガイド部材、３ｂ…奥ガイド部材、３ｃ…弾性部材、３ｄ…連結片、５…破断部材、５ａ…凹所、５ｂ…切断刃、５Ａ、５Ｂ…破断部材、６…連結部材、６ａ…連結部材、１０…昇降機構、１１…側方部材、１１ａ…スリット、１１ｂ…、ＦＤ挿入口、１２…天板、１２ａ…カバー、１３…昇降ガイド部材、１５、１６…回動軸部材、１５ａ…ギヤ、１６ａ…ギヤ、１７…バネ、２０…ハンドル、３０…ＦＤ、３１…円盤状記録媒体、３２…磁気ディスク、３５…金属製ハブ、４１…樹脂製保護ケース、４２…表ケース片、４３…裏ケース片、４３ａ…開口、４４…固着部、４５…シャッター、４６…シール、５０…刃物部材、６０…空所、６１…切り屑受け、７０…補助スタンド、７１…ガイド穴、７２…棒材、７３…先端部材、８０…固定支持金具、８１…金具本体、８２…ねじ込み部材、８５…作業台、９０…孔、９１…押出ピン、９１ａ…鍔部、９２…弾性部材、９５…中空部。
【図１】
2008090961.tif 000003
【図２】
2008090961.tif 000004
【図３】
2008090961.tif 000005
【図４】
2008090961.tif 000006
【図５】
2008090961.tif 000007
【図６】
2008090961.tif 000008
【図７】
2008090961.tif 000009